(57)【特許請求の範囲】
【請求項１】
ユーザ端末からの名刺情報を含む名刺情報登録要求の受信を契機として、交換候補者決定タイマを起動する交換候補者決定タイマ起動部と、
前記交換候補者決定タイマが満了するまでに、前記ユーザ端末と同一エリアに位置する他の複数のユーザ端末から前記名刺情報登録要求が受信された場合、該他の複数のユーザ端末を前記交換候補者として決定する決定部と、
前記決定部による前記交換候補者の決定を契機として、交換許可者更新タイマを起動する交換許可者更新タイマ起動部と、
前記交換許可者更新タイマが満了するまでに、前記ユーザ端末に対する交換許可通知が前記交換候補者から受信された場合、該交換候補者を前記ユーザ端末に対する交換許可者として登録する登録部と、
前記ユーザ端末からの名刺情報取得要求に応じて、前記交換許可者として登録されている前記交換候補者の名刺情報を前記ユーザ端末に送信する送信部と、
を具備することを特徴とする名刺情報交換サーバ。
【請求項２】
前記交換候補者からの前記交換許可通知は、前記ユーザ端末に対する送信許可又は／及び前記ユーザ端末からの受信許可を含み、
前記登録部は、前記交換許可通知に基づいて、前記交換候補者を前記ユーザ端末に対する送信許可者又は／及び前記ユーザ端末からの受信許可者として別々に登録し、
前記送信部は、前記ユーザ端末からの名刺情報取得要求に応じて、前記送信許可者として登録されている前記交換候補者の名刺情報を前記ユーザ端末に送信することを特徴とする請求項１に記載の名刺情報交換サーバ。
【請求項３】
前記送信部は、前記ユーザ端末からの名刺情報取得要求に応じて、該ユーザ端末に未だ送信していない前記名刺情報を送信することを特徴とする請求項１又は請求項２に記載の名刺情報交換サーバ。
【請求項４】
前記登録部は、前記交換許可者更新タイマが満了するまでに、前記交換候補者に対する交換許可通知が前記ユーザ端末から受信された場合、該ユーザ端末を前記交換候補者に対する前記交換許可者として登録し、
前記送信部は、前記交換候補者からの名刺情報取得要求に応じて、前記交換許可者として登録されている前記ユーザ端末の名刺情報を前記交換候補者に送信することを特徴とする請求項１に記載の名刺情報交換サーバ。
【請求項５】
前記ユーザ端末からの前記交換許可通知は、前記交換候補者に対する送信許可又は／及び前記交換候補者からの受信許可を含み、
前記登録部は、前記交換許可通知に基づいて、前記ユーザ端末を前記交換候補者に対する送信許可者又は／及び前記交換候補者からの受信許可者として別々に登録し、
前記送信部は、前記交換候補者からの名刺情報取得要求に応じて、前記送信許可者として登録されている前記ユーザ端末の名刺情報を前記交換候補者に送信することを特徴とする請求項４に記載の名刺情報交換サーバ。
【請求項６】
前記送信部は、前記交換候補者からの名刺情報取得要求に応じて、該交換候補者に未だ送信していない前記名刺情報を送信することを特徴とする請求項４又は請求項５に記載の名刺情報交換サーバ。
【請求項７】
名刺情報交換サーバに対する要求を送信する送信部と、
前記名刺情報交換サーバからの前記要求に応じた応答を受信する受信部と、
前記要求の送信を制限するタイマを起動する起動部と、
表示部と、を具備し、
前記送信部は、名刺情報を含む名刺情報登録要求を前記名刺情報交換サーバに送信し、
前記起動部は、前記名刺情報登録要求の送信を契機として、交換候補者要求制限タイマを起動し、
前記送信部は、前記交換候補者要求制限タイマが満了してから、交換候補者要求を前記名刺情報交換サーバに送信し、
前記受信部は、前記交換候補者要求に応じて前記名刺情報交換サーバから送信された、交換候補者を示すリストを受信し、
前記表示部は、前記リストに基づいて前記交換候補者を表示し、
前記送信部は、前記表示部に表示された前記交換候補者の選択指示をユーザから受け付けた場合に、選択された交換候補者に対する交換許可通知を前記名刺情報交換サーバに送信し、
前記起動部は、前記交換許可通知の送信を契機として、名刺情報取得要求制限タイマを起動し、
前記送信部は、前記名刺情報取得要求制限タイマが満了してから、名刺情報取得要求を前記名刺情報交換サーバに送信し、
前記受信部は、前記名刺情報取得要求に応じて前記名刺情報交換サーバから送信された、自端末に対する交換許可者の名刺情報を受信することを特徴とするユーザ端末。
【請求項８】
ユーザ端末が、名刺情報を含む名刺情報登録要求を名刺情報交換サーバに送信したことを契機として、交換候補者要求制限タイマを起動する工程と、
前記名刺情報交換サーバが、前記ユーザ端末からの前記名刺情報登録要求の受信を契機として、交換候補者決定タイマを起動する工程と、
前記名刺情報交換サーバが、前記交換候補者決定タイマが満了するまでに、前記ユーザ端末と同一エリアに位置する他の複数のユーザ端末から前記名刺情報登録要求が受信された場合、該他の複数のユーザ端末を前記交換候補者として決定する工程と、
前記名刺情報交換サーバが、前記交換候補者の決定を契機として、交換許可者更新タイマを起動する工程と、
前記名刺情報交換サーバが、前記交換許可者更新タイマが満了するまでに、前記ユーザ端末に対する交換許可通知が前記交換候補者から受信された場合、該交換候補者を前記ユーザ端末に対する交換許可者として登録する工程と、
前記名刺情報交換サーバが、前記ユーザ端末からの名刺情報取得要求に応じて、前記交換許可者として登録されている前記交換候補者の名刺情報を前記ユーザ端末に送信する工程と、
を有することを特徴とする名刺情報交換方法。
【発明の詳細な説明】
【技術分野】
【０００１】
本発明は、複数のユーザ端末間で名刺情報を交換する名刺情報交換サーバ、ユーザ端末及び名刺情報交換方法に関する。
【背景技術】
【０００２】
近年、ユーザの氏名や連絡先などの名刺情報をユーザ端末間において電子的に交換し、ユーザ間のコミュニケーションの拡大及び円滑化を図る名刺情報交換システムが検討されている。かかる名刺情報交換システムでは、各ユーザ端末の名刺情報が予め管理サーバに登録されており、当該管理サーバが、特定のユーザ端末と同一エリア内に位置する他のユーザ端末の名刺情報を予め登録された名刺情報の中から検索し、検索された名刺情報を当該特定のユーザ端末に提供することが提案されている（例えば、特許文献１）。
【先行技術文献】
【特許文献】
【０００３】
【特許文献１】特開２００４−２８２１５８号公報
【発明の概要】
【発明が解決しようとする課題】
【０００４】
しかしながら、上述のような名刺情報管理システムでは、各ユーザ端末の名刺情報が事前に管理サーバが登録されていない場合には、同一エリアに位置する複数のユーザ端末間で名刺情報を適切に交換することができないという問題点があった。
【０００５】
本発明は、かかる問題点に鑑みてなされたものであり、各ユーザ端末の名刺情報が事前に登録されていない場合であっても、同一エリアに位置する複数のユーザ端末間で柔軟に名刺情報を交換可能な名刺情報交換サーバ、ユーザ端末及び名刺情報交換方法を提供することを目的とする。
【課題を解決するための手段】
【０００６】
本発明の第１側面に係る名刺情報交換サーバは、ユーザ端末からの名刺情報を含む名刺情報登録要求の受信を契機として、交換候補者決定タイマを起動する交換候補者決定タイマ起動部と、前記交換候補者決定タイマが満了するまでに、前記ユーザ端末と同一エリアに位置する他の複数のユーザ端末から前記名刺情報登録要求が受信された場合、該他の複数のユーザ端末を前記交換候補者として決定する決定部と、前記決定部による前記交換候補者の決定を契機として、交換許可者更新タイマを起動する交換許可者更新タイマ起動部と、前記交換許可者更新タイマが満了するまでに、前記ユーザ端末に対する交換許可通知が前記交換候補者から受信された場合、該交換候補者を前記ユーザ端末に対する交換許可者として登録する登録部と、前記ユーザ端末からの名刺情報取得要求に応じて、前記交換許可者として登録されている前記交換候補者の名刺情報を前記ユーザ端末に送信する送信部と、を具備することを特徴とする。
【０００７】
この構成によれば、交換候補者決定タイマが満了するまでにユーザ端末と同一エリアに位置する他の複数のユーザ端末から名刺情報を含む名刺情報登録要求が受信された場合、当該他の複数のユーザ端末を交換候補者として決定するので、各ユーザ端末の名刺情報が事前に登録されていない場合であっても、当該ユーザ端末は、他の複数のユーザ端末と名刺情報を交換できる。
【０００８】
本発明の第２側面に係るユーザ端末は、名刺情報交換サーバに対する要求を送信する送信部と、前記名刺情報交換サーバからの前記要求に応じた応答を受信する受信部と、前記要求の送信を制限するタイマを起動する起動部と、表示部と、を具備し、前記送信部は、名刺情報を含む名刺情報登録要求を前記名刺情報交換サーバに送信し、前記起動部は、前記名刺情報登録要求の送信を契機として、交換候補者要求制限タイマを起動し、前記送信部は、前記交換候補者要求制限タイマが満了してから、交換候補者要求を前記名刺情報交換サーバに送信し、前記受信部は、前記交換候補者要求に応じて前記名刺情報交換サーバから送信された、交換候補者を示すリストを受信し、前記表示部は、前記リストに基づいて前記交換候補者を表示し、前記送信部は、前記表示部に表示された前記交換候補者の選択指示をユーザから受け付けた場合に、選択された交換候補者に対する交換許可通知を前記名刺情報交換サーバに送信し、前記起動部は、前記交換許可通知の送信を契機として、名刺情報取得要求制限タイマを起動し、前記送信部は、前記名刺情報取得要求制限タイマが満了してから、名刺情報取得要求を前記名刺情報交換サーバに送信し、前記受信部は、前記名刺情報取得要求に応じて前記名刺情報交換サーバから送信された、自端末に対する交換許可者の名刺情報を受信することを特徴とする。
【０００９】
本発明の第３側面に係る名刺情報交換方法は、ユーザ端末が、名刺情報を含む名刺情報登録要求を名刺情報交換サーバに送信したことを契機として、交換候補者要求制限タイマを起動する工程と、前記名刺情報交換サーバが、前記ユーザ端末からの前記名刺情報登録要求の受信を契機として、交換候補者決定タイマを起動する工程と、前記名刺情報交換サーバが、前記交換候補者決定タイマが満了するまでに、前記ユーザ端末と同一エリアに位置する他の複数のユーザ端末から前記名刺情報登録要求が受信された場合、該他の複数のユーザ端末を前記交換候補者として決定する工程と、前記名刺情報交換サーバが、前記交換候補者の決定を契機として、交換許可者更新タイマを起動する工程と、前記名刺情報交換サーバが、前記交換許可者更新タイマが満了するまでに、前記ユーザ端末に対する交換許可通知が前記交換候補者から受信された場合、該交換候補者を前記ユーザ端末に対する交換許可者として登録する工程と、前記名刺情報交換サーバが、前記ユーザ端末からの名刺情報取得要求に応じて、前記交換許可者として登録されている前記交換候補者の名刺情報を前記ユーザ端末に送信する工程と、を有することを特徴とする。
【発明の効果】
【００１０】
本発明によれば、各ユーザ端末の名刺情報が事前に登録されていなくとも、同一エリアに位置する複数のユーザ端末間で柔軟に名刺情報を交換可能な名刺情報交換サーバ、ユーザ端末及び名刺情報交換方法を提供できる。
【図面の簡単な説明】
【００１１】
【図１】第１の実施の形態に係る名刺情報交換システムの概略構成図である。
【図２】第１の実施の形態に係る名刺情報交換サーバの詳細機能構成図である。
【図３】第１の実施の形態に係る交換情報を説明するための図である。
【図４】第１の実施の形態に係るユーザ端末の詳細機能構成図である。
【図５】第１の実施の形態に係るユーザ端末の表示画面を説明するための図である。
【図６】第１の実施の形態に係る名刺情報交換システムの動作を示すシーケンス図である。
【図７】変更例に係る交換情報を説明するための図である。
【発明を実施するための形態】
【００１２】
以下、本発明の実施の形態について図面を参照して詳細に説明する。
【００１３】
（第１の実施の形態）
図１は、第１の実施の形態に係る名刺情報交換システムの概略構成図である。図１に示すように、名刺情報交換システム１は、同一エリア内に位置するユーザ端末１０Ａ〜１０Ｃと、ユーザ端末１０Ａ〜１０Ｃと無線基地局２０及びコアネットワーク３０を介して通信を行う名刺情報交換サーバ４０とから構成される。
【００１４】
図１に示す名刺情報交換システム１において、名刺情報交換サーバ４０は、同一エリア内に位置するユーザ端末１０Ａ〜１０Ｃの名刺情報の交換制御を行う。ここで、同一エリアとは、例えば、無線基地局２０の同一のセルや、複数の無線基地局２０を跨ぐ同一の位置登録エリアなど、地理的に一定範囲を有すればどのような単位であってもよい。
【００１５】
また、名刺情報とは、ユーザ端末１０Ａ〜１０Ｃの電話番号やメールアドレス、ユーザ端末１０Ａ〜１０Ｃのユーザの氏名、住所、役職、当該ユーザの他のメールアドレスや、当該ユーザのソーシャルネットワークサービス（ＳＮＳ）−ＩＤなど、ユーザ端末１０Ａ〜１０Ｃのユーザ固有の情報であればどのような情報であってもよい。
【００１６】
また、名刺情報交換システム１は、図１に示す構成に限られるものではない。例えば、名刺情報交換システム１において、コアネットワーク３０と名刺情報交換サーバ４０との間に不図示の認証用ノードやインタフェースノード等が設けられてもよい。また、ユーザ端末１０Ａ〜１０Ｃの数、無線基地局２０の数は、図１に示す数に限られるものではない。以下、ユーザ端末１０Ａ〜１０Ｃを区別しない場合はユーザ端末１０と総称するものとする。
【００１７】
次に、第１の実施の形態に係る名刺情報交換サーバ４０及びユーザ端末１０の機能構成について説明する。なお、名刺情報交換サーバ４０及びユーザ端末１０は、通信インタフェース、プロセッサ、メモリ、送受信回路、ディスプレイ、操作キー、タッチパネルなどを含むハードウェアを有しており、メモリには、プロセッサによって実行されるソフトウェアモジュールが記憶されている。後述する機能構成は、上述のハードウェアによって実現されてもよいし、プロセッサによって実行されるソフトウェアモジュールによって実現されてもよいし、両者の組み合わせによって実現されてもよい。
【００１８】
図２は、第１の実施の形態に係る名刺情報交換サーバ４０の詳細機能構成図である。図２に示すように、名刺情報交換サーバ４０は、送受信部４０１、名刺情報登録部４０２、交換候補者決定タイマ起動部４０３、名刺情報記憶部４０４、交換候補者決定部４０５、交換許可者更新タイマ起動部４０６、交換情報記憶部４０７、交換許可者更新部４０８、名刺情報抽出部４０９を具備する。
【００１９】
送受信部４０１は、無線基地局２０及びコアネットワーク３０などを介してユーザ端末１０と情報を送受信する。具体的には、送受信部４０１は、後述する名刺情報登録要求、交換候補者要求、交換許可者通知、名刺情報取得要求などをユーザ端末１０から受信する。また、送受信部４０１は、名刺情報、後述する交換候補者リストなどをユーザ端末１０に送信する。なお、送受信部４０１は、例えば、ＨＴＴＰプロトコルを用いて、上記情報の送受信を行う。
【００２０】
名刺情報登録部４０２は、ユーザ端末１０からの名刺情報登録要求に含まれる名刺情報を名刺情報記憶部４０４に登録する。ここで、名刺情報取得要求とは、ユーザ端末１０の名刺情報の登録を名刺情報交換サーバ４０に要求するものである。名刺情報登録要求には、ユーザ端末１０の名刺情報に加えて、ユーザ端末１０の識別情報（例えば、ＭＳＩＳＤＮなど）、ユーザ端末１０の位置情報（例えば、ＧＰＳ情報や在圏セル情報など）、登録要求日時などが含まれてもよい。
【００２１】
交換候補者決定タイマ起動部４０３は、ユーザ端末１０からの名刺情報登録要求の受信を契機として、交換候補者決定タイマを起動する。ここで、交換候補者決定タイマとは、ユーザ端末１０との名刺情報の交換候補者を決定するための所定期間を管理するものである。具体的には、交換候補者決定タイマ起動部４０３は、同一エリアに位置する他のユーザ端末１０によって交換候補者決定タイマが起動されていない場合に、交換候補者決定タイマを起動する。なお、交換候補者決定タイマ起動部４０３は、受信した名刺情報登録要求に含まれる名刺情報が名刺情報記憶部４０４に登録された場合に、交換候補者決定タイマを起動してもよい。
【００２２】
名刺情報記憶部４０４は、上記名刺情報登録要求に含まれるユーザ端末１０の名刺情報を記憶する。なお、名刺情報記憶部４０４は、ユーザ端末１０の名刺情報と、上記名刺情報登録要求に含まれるユーザ端末１０の識別情報、位置情報、登録要求日時などとを、関連付けて記憶してもよい。
【００２３】
交換候補者決定部４０５は、交換候補者決定タイマ起動部４０３によって起動された交換候補者決定タイマが満了するまでに、ユーザ端末１０と同一エリアに位置する他の複数のユーザ端末１０からの名刺情報登録要求が受信された場合、当該他の複数のユーザ端末１０を交換候補者として決定する。具体的には、交換候補者決定部４０５は、名刺情報記憶部４０４を参照し、登録要求日時が上記交換候補者決定タイマの起動時間内であり、位置情報が近接する他のユーザ端末１０を交換候補者として決定する。
【００２４】
また、交換候補者決定部４０５は、決定された交換候補者を交換情報記憶部４０７に登録する。図３Ａは、交換情報記憶部４０７に登録される交換候補者を示す図である。図３Ａでは、各ユーザ端末１０の交換候補者が横軸で示される。よって、図３Ａでは、ユーザ端末１０Ａの交換候補者はユーザ端末１０Ｂ及び１０Ｃである。同様に、ユーザ端末１０Ｂの交換候補者はユーザ端末１０Ａ及び１０Ｃであり、ユーザ端末１０Ｃの交換候補者は、ユーザ端末１０Ａ及び１０Ｂである。
【００２５】
また、交換候補者決定部４０５は、以上の交換候補者を示す交換候補者リストを生成する。交換候補者決定部４０５は、ユーザ端末１０からの交換候補者要求に応じて、上記交換候補者リストをユーザ端末１０に送受信部４０１を介して送信する。ここで、交換候補者要求とは、ユーザ端末１０が上記交換候補者を示す交換候補者リストの提供を名刺情報交換サーバ４０に要求するものである。
【００２６】
交換許可者更新タイマ起動部４０６は、交換候補者決定部４０５による交換候補者の決定を契機として、交換許可者更新タイマを起動する。ここで、交換許可者更新タイマとは、ユーザ端末１０との名刺情報の交換許可者を決定するための所定期間を管理するものである。
【００２７】
交換許可者更新部４０８は、交換許可者更新タイマ起動部４０６によって起動された交換許可者更新タイマが満了するまでに、ユーザ端末１０に対する交換許可通知が交換候補者から受信された場合、当該交換候補者をユーザ端末１０に対する交換許可者として交換情報記憶部４０７に登録する。ここで、交換許可通知とは、ユーザ端末１０によって名刺情報の交換が許可された交換候補者、すなわち、交換許可者を通知するものである。
【００２８】
図３Ｂ〜図３Ｄは、交換情報記憶部４０７で逐次登録される交換許可者を示す図である。図３Ｂ〜図３Ｄでは、各ユーザ端末１０に対する交換許可者が縦軸で示される。また、図３Ｂ〜図３Ｄでは、“○”が交換許可者として登録されている状態、“×”が交換許可者として登録されていない状態、空白が未だ上記交換許可通知を受信していない状態を示している。例えば、図３Ｂにおいて、ユーザ端末１０Ａに対する交換許可通知は受信されておらず、ユーザ端末１０Ａに対する交換許可者は存在しない。一方、図３Ｃでは、ユーザ端末１０Ａに対する交換許可者としてユーザ端末１０Ｃが登録されている。また、図３Ｄでは、ユーザ端末１０Ａに対する交換許可者としてユーザ端末１０Ｃに加えてユーザ端末１０Ｂが登録されている。
【００２９】
名刺情報抽出部４０９は、ユーザ端末１０からの名刺情報取得要求に応じて、当該ユーザ端末１０に対する交換許可者の名刺情報を、送受信部４０１を介してユーザ端末１０に送信する。具体的には、名刺情報抽出部４０９は、交換情報記憶部４０７を参照し、ユーザ端末１０に対する交換許可者情報を取得する。名刺情報抽出部４０９は、取得した交換許可者情報に基づいて名刺情報記憶部４０４を参照し、ユーザ端末１０に対する交換許可者の名刺情報を取得する。名刺情報抽出部４０９は、取得した名刺情報を、送受信部４０１を介してユーザ端末１０に送信する。
【００３０】
図４は、第１の実施の形態に係るユーザ端末１０の詳細機能構成図である。ユーザ端末１０は、送受信部１０１、名刺情報登録要求部１０２、交換候補者要求制限タイマ起動部１０３、交換候補者リスト取得部１０４、表示部１０５、ユーザ指示受付部１０６、交換許可通知部１０７、名刺情報取得要求制限タイマ起動部１０８、名刺情報取得部１０９を具備する。
【００３１】
送受信部１０１（送信部、受信部）は、無線基地局２０及びコアネットワーク３０などを介して名刺情報交換サーバ４０と情報を送受信する。具体的には、送受信部１０１は、後述する名刺情報登録要求、交換候補者要求、交換許可者通知、名刺情報取得要求などを名刺情報交換サーバ４０に送信する。また、送受信部１０１は、名刺情報、後述する交換候補者リストなどを名刺情報交換サーバ４０から受信する。なお、送受信部１０１は、例えば、ＨＴＴＰプロトコルを用いて、上記情報の送受信を行う。
【００３２】
名刺情報登録要求部１０２は、名刺情報を含む名刺情報登録要求を生成し、送受信部１０１を介して名刺情報交換サーバ４０に送信する。名刺情報登録要求部１０２は、名刺情報に加えて、ユーザ端末１０の識別情報（例えば、ＭＳＩＳＤＮなど）、位置情報（例えば、ＧＰＳ情報や在圏セル情報など）及び登録要求日時を名刺情報登録要求に付加してもよい。
【００３３】
交換候補者要求制限タイマ起動部１０３は、上記名刺情報登録要求の送信を契機として、交換候補者要求制限タイマを起動する。ここで、交換候補者要求制限タイマとは、名刺情報交換サーバ４０に対する交換候補者要求の送信を制限する所定期間を管理するものである。なお、交換候補者要求制限タイマ起動部１０３は、上記名刺情報登録要求に応じて名刺情報交換サーバ４０で名刺情報が登録されたことを検出した場合に、交換候補者要求制限タイマを起動してもよい。
【００３４】
交換候補者リスト取得部１０４は、交換候補者要求制限タイマが満了してから、交換候補者要求を名刺情報交換サーバ４０に送信する。また、交換候補者リスト取得部１０４は、交換候補者要求に応じて名刺情報交換サーバから送信された交換候補者リストを受信する。
【００３５】
表示部１０５は、交換候補者リスト取得部１０４によって取得された交換候補者リストが示す交換候補者を表示する。図５は、表示部１０５で表示される画面を示す図である。例えば、図５に示すように、表示部１０５は、交換候補者（ここでは、ユーザ端末１０Ｂ及び１０Ｃ）の情報を表示する。
【００３６】
ユーザ指示受付部１０６は、ユーザからの指示を受け付ける。具体的には、ユーザ指示受付部１０６は、表示部１０５に表示された交換候補者に対する交換許可指示を受け付ける。また、ユーザ指示受付部１０６は、後述する名刺情報取得要求の送信指示を受け付けてもよい。
【００３７】
交換許可通知部１０７は、ユーザ指示受付部１０６によって交換候補者に対する交換許可指示が受け付けられた場合に、交換許可通知を名刺情報交換サーバ４０に送受信部１０１を介して送信する。ここで、交換許可通知とは、ユーザ端末１０のユーザが名刺情報の交換を許可する交換候補者、すなわち、交換許可者を通知するものである。
【００３８】
名刺情報取得要求制限タイマ起動部１０８は、上記交換許可通知の送信を契機として、名刺情報取得要求制限タイマを起動する。ここで、名刺情報取得要求制限タイマとは、名刺情報交換サーバ４０に対する名刺情報交換要求の送信を制限する所定期間を管理するものである。なお、名刺情報取得要求制限タイマ起動部１０８は、上記交換許可通知に応じて名刺情報交換サーバ４０で交換許可者が更新されたことを検出した場合に、交換候補者要求制限タイマを起動してもよい。
【００３９】
名刺情報取得部１０９は、名刺情報取得要求制限タイマ起動部１０８によって起動された名刺情報取得要求制限タイマが満了してから、名刺情報取得要求を名刺情報交換サーバ４０に送受信部１０１を介して送信する。ここで、名刺情報取得要求とは、ユーザ端末１０が同一エリアに位置する他のユーザ端末１０の名刺情報の送信を名刺情報交換サーバ４０に要求するものである。名刺情報取得部１０９は、上記名刺情報取得要求に応じて名刺情報交換サーバ４０から送信された名刺情報を取得する。なお、名刺情報取得部１０９は、ユーザ指示受付部１０６によって送信指示が受け付けられた場合に、名刺情報取得要求を名刺情報交換サーバ４０に送受信部１０１を介して送信してもよい。
【００４０】
次に、第１の実施の形態に係る名刺情報交換システム１の動作について説明する。図６は、第１の実施の形態に係る名刺情報交換システムの動作を示すシーケンス図である。なお、ユーザ端末１０Ａ〜１０Ｃは、同一エリア内に位置するものとする。また、図６において、ユーザ端末１０Ａ〜１０Ｃと名刺情報交換サーバ４０との通信は、例えば、ＨＴＴＰプロトコルを用いて行われるものとするが、通信可能であればどのようなプロトコルが用いられてもよい。
【００４１】
図６に示すように、ユーザ端末１０Ａは、名刺情報交換サーバ４０に対して、名刺情報を含む名刺情報登録要求を送信する（ステップＳ１０１）。上述のように、名刺情報登録要求には、ユーザ端末１０Ａの名刺情報に加えて、ユーザ端末１０Ａの識別情報、位置情報及び登録要求日時などが含まれてもよい。また、ユーザ端末１０Ａの識別情報、位置情報及び登録要求日時は、ユーザ端末１０Ａにおいて付加されてもよいし、ユーザ端末１０Ａと名刺情報交換サーバ４０との間に設けられた中継用ノード（例えば、ＭＡＰＳ、コアネットワーク３０上のノード、無線基地局２０など）において含められてもよい。名刺情報交換サーバ４０は、当該名刺情報登録要求に含まれる名刺情報を名刺情報記憶部４０４に記憶させる。
【００４２】
また、名刺情報交換サーバ４０は、ユーザ端末１０Ａと同一エリアに位置するユーザ端末１０Ａ又は１０Ｂにより交換候補者決定タイマが起動されているか否かを判定する。ここでは、ユーザ端末１０Ａ又は１０Ｂにより交換候補者決定タイマは起動されていないので、名刺情報交換サーバ４０は、交換候補者決定タイマを起動する（ステップＳ１０２）。
【００４３】
ユーザ端末１０Ａは、上記名刺情報登録要求の送信を契機として、交換候補者要求制限タイマを起動する（ステップＳ１０３）。交換候補者要求制限タイマで管理される期間は、交換候補者決定タイマで管理される期間と同じ、又は当該区間候補者決定タイマで管理される期間よりも長い期間（例えば、コンマ数秒長い期間）に設定される。かかる設定により、名刺情報交換サーバ４０で交換候補者が決定される前に、ユーザ端末１０Ａが交換候補者要求を送信してしまうのを防ぐことができる。
【００４４】
ユーザ端末１０Ｂは、交換候補者決定タイマで管理される期間内に、名刺情報交換サーバ４０に名刺情報登録要求を送信する（ステップＳ１０４）。名刺情報交換サーバ４０は、当該名刺情報登録要求に含まれる名刺情報を名刺情報記憶部４０４に記憶させる。なお、ユーザ端末１０Ａからの名刺情報登録要求に応じて交換候補者決定タイマが起動されているので、名刺情報交換サーバ４０は、交換候補者決定タイマを起動しない。
【００４５】
ユーザ端末１０Ａと同様に、ユーザ端末１０Ｂは、上記名刺情報登録要求の送信を契機として、交換候補者要求制限タイマを起動する（ステップＳ１０５）。ユーザ端末１０Ｂと同様に、ユーザ端末１０Ｃは、名刺情報の登録処理を行う（ステップＳ１０６及びＳ１０７）。
【００４６】
名刺情報交換サーバ４０は、ステップＳ１０２で起動された交換候補者決定タイマが満了すると、ユーザ端末１０Ａ〜１０Ｃそれぞれの交換候補者を決定し、交換情報記憶部４０７に記憶させる（ステップＳ１０８）。例えば、図３Ａに示すように、名刺情報交換サーバ４０は、ユーザ端末１０Ａの交換候補者としてユーザ端末１０Ｂ及び１０Ｃ、ユーザ端末１０Ｂの交換候補者としてユーザ端末１０Ａ及び１０Ｃ、ユーザ端末１０Ｃの交換候補者としてユーザ端末１０Ａ及び１０Ｂを記憶させる。
【００４７】
名刺情報交換サーバ４０は、交換候補者の決定を契機として、交換許可者更新タイマを起動する（ステップＳ１０９）。
【００４８】
ユーザ端末１０Ａは、ステップＳ１０３で起動された交換候補者要求制限タイマが満了すると、名刺情報交換サーバ４０に対して交換候補者要求を送信する（ステップＳ１１０）。
【００４９】
名刺情報交換サーバ４０は、ユーザ端末１０Ａからの交換候補者要求に応じて、交換情報記憶部４０７からユーザ端末１０Ａの交換候補者を抽出し、抽出された交換候補者（ここでは、ユーザ端末１０Ｂ及び１０Ｃ）を示す交換候補者リストをユーザ端末１０Ａに送信する（ステップＳ１１１）。
【００５０】
ユーザ端末１０Ａは、名刺情報交換サーバ４０からの交換候補者リストが示す交換候補者を表示部１０５に表示させる（ステップＳ１１２）。ここでは、交換候補者リストには、ユーザ端末１０Ｂ及び１０Ｃの識別情報が含まれるので、例えば、図５に示す画面が表示部１０５に表示される。
【００５１】
ユーザ端末１０Ａは、表示部１０５に表示された交換候補者の選択指示をユーザから受け付けると、選択された交換候補者に対する交換許可通知を名刺情報交換サーバ４０に送信する（ステップＳ１１３）。ここでは、交換候補者として表示されたユーザ端末１０Ｂ及び１０Ｃのうち、ユーザ端末１０Ｂに対する選択指示を受け付けるので、ユーザ端末１０Ａは、ユーザ端末１０Ｂの識別情報を含む交換許可通知を名刺情報交換サーバ４０に送信する。
【００５２】
ユーザ端末１０Ａは、上記交換許可通知の送信を契機として、名刺情報取得要求制限タイマを起動する（ステップＳ１１４）。名刺情報取得要求制限タイマにより名刺情報取得要求の送信が所定期間制限されるので、ユーザ端末１０Ａは、ユーザ端末１０Ｂ又は１０Ｃによる交換許可通知を待って、名刺情報取得要求を送信できる。
【００５３】
名刺情報交換サーバ４０は、ユーザ端末１０Ａからの交換許可通知に応じて、交換情報記憶部４０７で記憶される交換許可者を更新する（ステップＳ１１５）。ここでは、ユーザ端末１０Ｂに対する交換許可通知をユーザ端末１０Ａから受信しているので、図３Ｂに示すように、ユーザ端末１０Ｂに対する交換許可者としてユーザ端末１０Ａを登録する。一方、図３Ｂに示すようにユーザ端末１０Ｃに対する交換許可者としてはユーザ端末１０Ａを登録しない。
【００５４】
ステップＳ１１６及びＳ１１７、ステップＳ１１８及びＳ１１９は、ステップＳ１１０及びＳ１１１と同様の処理であるため、説明を省略する。
【００５５】
ユーザ端末１０Ｃは、交換候補者として表示されたユーザ端末１０Ａ及び１０Ｂのうち、ユーザ端末１０Ａ及び１０Ｂに対する選択指示を受け付ける（ステップＳ１２０）。ユーザ端末１０Ｃは、ユーザ端末１０Ａ及び１０Ｂの識別情報を含む交換許可通知を名刺情報交換サーバ４０に送信する（ステップＳ１２１）。ユーザ端末１０Ｃは、上記交換許可通知の送信を契機として、名刺情報取得要求制限タイマを起動する（ステップＳ１２２）。
【００５６】
名刺情報交換サーバ４０は、ユーザ端末１０Ｃからの交換許可通知に応じて、交換情報記憶部４０７で記憶される交換許可者を更新する（ステップＳ１２３）。ここでは、ユーザ端末１０Ａ及び１０Ｂに対する交換許可通知をユーザ端末１０Ｃから受信しているので、図３Ｃに示すように、ユーザ端末１０Ａに対する交換許可者としてユーザ端末１０Ｃを登録するとともに、ユーザ端末１０Ｂに対する交換許可者としてユーザ端末１０Ｃを登録する。
【００５７】
ユーザ端末１０Ａは、ステップＳ１１４で起動された名刺情報取得要求制限タイマが満了してから、名刺情報交換サーバ４０に対して名刺情報取得要求を送信する（ステップＳ１２４）。
【００５８】
名刺情報交換サーバ４０は、名刺情報取得要求に応じて交換情報記憶部４０７を参照し、ユーザ端末１０Ａに対する交換許可者の名刺情報をユーザ端末１０Ａに送信する（ステップＳ１２５）。図３Ｃに示すように、交換情報記憶部４０７では、ユーザ端末１０Ａに対する交換許可者としてユーザ端末１０Ｃが登録されているので、名刺情報交換サーバ４０は、ユーザ端末１０Ｃの名刺情報をユーザ端末１０Ａに送信する。
【００５９】
ユーザ端末１０Ｂは、交換候補者として表示されたユーザ端末１０Ａ及び１０Ｃのうち、ユーザ端末１０Ａ及び１０Ｃに対する選択指示を受け付ける（ステップＳ１２６）。ユーザ端末１０Ｂは、ユーザ端末１０Ａ及び１０Ｃの識別情報を含む交換許可通知を名刺情報交換サーバ４０に送信する（ステップＳ１２７）。ユーザ端末１０Ｂは、上記交換許可通知の送信を契機として、名刺情報取得要求制限タイマを起動する（ステップＳ１２８）。
【００６０】
名刺情報交換サーバ４０は、ユーザ端末１０Ｂからの交換許可通知に応じて、交換情報記憶部４０７で記憶される交換許可者を更新する（ステップＳ１２９）。ここでは、ユーザ端末１０Ａ及び１０Ｃに対する交換許可通知をユーザ端末１０Ｂから受信しているので、図３Ｄに示すように、ユーザ端末１０Ａに対する交換許可者としてユーザ端末１０Ｂを登録するとともに、ユーザ端末１０Ｃに対する交換許可者としてユーザ端末１０Ｂを登録する。
【００６１】
ユーザ端末１０Ｃは、ステップＳ１２２で起動された名刺情報取得要求制限タイマが満了してから、名刺情報交換サーバ４０に対して名刺情報取得要求を送信する（ステップＳ１３０）。図３Ｄに示すように、交換情報記憶部４０７では、ユーザ端末１０Ｃに対する交換許可者としてユーザ端末１０Ｂが登録されているので、名刺情報交換サーバ４０は、ユーザ端末１０Ｂの名刺情報をユーザ端末１０Ｃに送信する（ステップＳ１３１）。
【００６２】
また、ユーザ端末１０Ａは、ユーザ端末１０Ｃの名刺情報を取得してから所定期間後に、名刺情報交換サーバ４０に名刺情報取得要求を再送信する（ステップＳ１３２）。なお、再送信は初回送信から所定期間後に自動送信されるものでもあってもよいし、ユーザの送信指示を受け付けて手動送信されるものであってもよい。
【００６３】
名刺情報交換サーバ４０は、ユーザ端末１０Ａに対する交換許可者の名刺情報をユーザ端末１０Ａに送信したか否かを判定し、未送信の交換許可者の名刺情報をユーザ端末１０Ａに送信する（ステップＳ１３３）。図３Ｄに示すように、交換情報記憶部４０７では、ユーザ端末１０Ａに対する交換許可者としてユーザ端末１０Ｂ及び１０Ｃが登録されている。ステップＳ１２５においてユーザ端末１０Ｃの名刺情報は既にユーザ端末１０Ａに送信されているので、ここでは、ユーザ端末１０Ｂの名刺情報のみがユーザ端末１０Ａに送信される。
【００６４】
ユーザ端末１０Ｂは、ステップＳ１２８で起動された名刺情報取得要求制限タイマが満了してから、名刺情報交換サーバ４０に対して名刺情報取得要求を送信する（ステップＳ１３４）。図３Ｄに示すように、交換情報記憶部４０７では、ユーザ端末１０Ｂに対する交換許可者としてユーザ端末１０Ａ及び１０Ｃが登録されているので、名刺情報交換サーバ４０は、ユーザ端末１０Ａ及び１０Ｃの名刺情報をユーザ端末１０Ｂに送信する（ステップＳ１３５）。
【００６５】
名刺情報交換サーバ４０は、ステップＳ１０９で起動された交換許可者更新タイマが満了すると、交換情報記憶部４０７からユーザ端末１０Ａ〜１０Ｃの交換情報を削除する（ステップＳ１３６）。
【００６６】
第１の実施の形態に係る名刺情報交換システム１によれば、交換候補者決定タイマが満了するまでに同一エリアに位置するユーザ端末１０Ｂ及び１０Ｃから名刺情報を含む名刺情報登録要求が受信された場合、ユーザ１０Ａの交換候補者としてユーザ端末１０Ａ及び１０Ｂを決定するので、ユーザ端末１０Ａは、複数のユーザ端末１０Ｂ及び１０Ｃと名刺情報を交換できる。すなわち、ユーザ端末１０Ａは、１対１の名刺交換だけでなく、１対多の名刺交換を行うことができる。また、ユーザ端末１０Ｂ及び１０Ｃもそれぞれ１対多の名刺交換を行うことができる。このように、名刺情報交換システム１によれば、ユーザ端末１０Ａ〜１０Ｃ間で、複数対複数の名刺交換を行うことができる。
【００６７】
また、第１の実施の形態に係る名刺情報交換システム１によれば、交換許可者更新タイマが満了するまでに、ユーザ端末１０Ａに対する交換許可通知が交換候補者から受信される毎に、該交換候補者をユーザ端末１０Ａに対する交換許可者として登録し、登録された交換許可者の名刺情報をユーザ端末１０Ａに送信するので、ユーザ端末１０Ａとの名刺交換を望まないユーザ端末１０Ｂ又は１０Ｃの名刺情報がユーザ端末１０Ａに送信されるのを防止できる。
【００６８】
また、第１の実施の形態に係る名刺情報交換システム１によれば、交換許可者の名刺情報をユーザ端末１０Ａに送信したか否かを判定し、未送信であると判定された前記交換許可者の名刺情報をユーザ端末１０Ａに送信するので、同じ交換許可者の名刺情報が何度もユーザ端末１０Ａに送信されるのを防止できる。
【００６９】
また、第１の実施形態に係る名刺情報交換システム１によれば、交換候補者要求制限タイマが満了してから、ユーザ端末１０Ａ〜１０Ｃからの交換候補者要求が送信されるので、名刺情報管理サーバ４０で交換候補者が決定されていないのに無駄な交換候補者リスト要求が送信されるのを防ぐことができる。
【００７０】
また、第１の実施形態に係る名刺情報交換システム１によれば、名刺情報取得要求制限タイマが満了してから、ユーザ端末１０Ａ〜１０Ｃからの名刺情報取得要求が送信されるので、名刺情報管理サーバ４０で交換許可者が登録されていないのに無駄な名刺情報取得要求が送信されるのを防ぐことができる。
【００７１】
（変更例）
第１の実施の形態に係る名刺情報交換システム１の変更例を説明する。第１の実施の形態では、ユーザ端末１０から送信される交換許可通知には、送信許可又は／及び受信許可が含まれる。具体的には、ユーザ指示受付部１０６は、交換候補者に対する送信許可指示と受信許可指示とを別々に受け付けて、交換許可通知部１０７は、上記交換許可通知を名刺情報交換サーバ４０に送信する。
【００７２】
図７は、変更例に係る交換情報記憶部４０７で逐次登録される送信許可者と受信許可者を示す図である。図７において、ユーザ端末１０Ｂが、ユーザ端末１０Ａに対する送信許可者として、また、ユーザ端末１０Ａからの受信許可者として登録されている。一方、ユーザ端末１０Ａは、ユーザ端末１０Ｂからの受信許可者として登録されるが、ユーザ端末１０Ｂに対する送信許可者としては登録されていない。図７において、ユーザ端末１０Ａは、ユーザ端末１０Ｂに対する送信許可をしていないので、ユーザ端末１０Ｂは、ユーザ端末１０Ａの名刺情報を受信することはできない。
【００７３】
図７に示すように、交換許可者更新部４０８が、交換情報記憶部４０７に、送信許可者と受信許可者を別々に登録することにより、より柔軟な名刺交換制御が可能となる。
【００７４】
上述の実施の形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び更新態様として実施することができる。従って、本明細書の記載は、例示説明を目的とするものであり、本発明に対して何ら制限的な意味を有するものではない。
【符号の説明】
【００７５】
１…名刺情報交換システム
１０、１０Ａ〜１０Ｃ…ユーザ端末
１０１…送受信部
１０２…名刺情報登録要求部
１０３…交換候補者要求制限タイマ起動部
１０４…交換候補者リスト取得部
１０５…表示部
１０６…ユーザ指示受付部
１０７…交換許可通知部
１０８…名刺情報取得要求制限タイマ起動部
１０９…名刺情報取得部
２０…無線基地局
３０…コアネットワーク
４０…名刺情報交換サーバ
４０１…送受信部
４０２…名刺情報登録部
４０３…交換候補者決定タイマ起動部
４０４…名刺情報記憶部
４０５…交換候補者決定部
４０６…交換許可者更新タイマ起動部
４０７…交換情報記憶部
４０８…交換許可者更新部
４０９…名刺情報抽出部
【図１】
0005718738.tif 000002
【図２】
0005718738.tif 000003
【図３】
0005718738.tif 000004
【図４】
0005718738.tif 000005
【図５】
0005718738.tif 000006
【図６】
0005718738.tif 000007
【図７】
0005718738.tif 000008